(57)【要約】      （修正有）【課題】メモリカードと電子機器のシステムにおいて、標準サイズのメモリカードと小型メモリカードとの互換性が得られるようにする。【解決手段】小型メモリカード２１は、標準サイズのメモリカードと比べて、ほぼ同じ幅と、約１／２の長さと、ほぼ同形状のコネクター４と、側面のほぼ同位置に形成されたイジェクト用溝１０とを備える。電子機器４２のカード挿入穴４３には、標準サイズのメモリカードのコネクターに接続されるコネクター１４と、標準サイズのメモリカードに形成されたイジェクト用溝に挿入されるイジェクト爪１５ａとが設けられる。カード挿入穴４３のコネクター１４は、小型メモリカード２１であっても標準サイズのメモリカードと同様に正しく接続することが可能であり、カード挿入穴４３のイジェクト爪１５ａは、小型メモリカード２１であっても標準サイズのメモリカードと同様にイジェクト用溝１０に挿入することが可能である。【選択図】図２
2004288202.tif 000002
【特許請求の範囲】
【請求項１】
標準サイズのメモリカードと、
上記標準サイズのメモリカードよりも小さい小型メモリカードと、
上記標準サイズのメモリカードと小型メモリカードが挿入される挿入穴を有する電子機器とを有するメモリカードと電子機器のシステムにおいて、
上記小型メモリカードは、上記標準サイズのメモリカードの幅とほぼ同じ幅と、
上記標準サイズのメモリカードの長さの約１／２に形成された長さと、
上記標準サイズのメモリカードとほぼ同形状のコネクターと、
上記標準サイズのメモリカードの側面に形成されている溝と対応される溝であって、上記標準サイズのメモリカードの側面と対応される側面のほぼ同位置に形成された溝とを備え、
上記電子機器の挿入穴には、上記標準サイズのメモリカードのコネクターに接続されるコネクターと、上記標準サイズのメモリカードに形成された溝に挿入される爪とが設けられ、
上記挿入穴のコネクターは、小型のメモリカードであっても標準サイズのメモリカードと同様に正しく接続することが可能であり、
上記挿入穴の爪は、小型のメモリカードであっても標準サイズのメモリカードと同様にメモリカードに形成された溝に挿入することが可能であることを特徴とするメモリカードと電子機器のシステム。
【請求項２】
上記電子機器の爪は、上記標準サイズのメモリカードまたは上記小型メモリカードを上記電子機器から引抜くためのイジェクト爪であることを特徴とする請求項１記載のメモリカードと電子機器のシステム。
【請求項３】
上記電子機器の挿入穴は、上記標準サイズのメモリカードの長さとほぼ同一の奥行きを有することを特徴とする請求項１記載のメモリカードと電子機器のシステム。
【請求項４】
上記電子機器の挿入穴は、上記標準サイズのメモリカードの長さの約１／２の奥行きを有することを特徴とする請求項１記載のメモリカードと電子機器のシステム。
【発明の詳細な説明】
【技術分野】
【０００１】
本発明は、パーソナルコンピュータ、電子手帳、ファックス、スチルカメラ、産業機械等の各種電子機器の外部記憶装置として使用されるメモリカードと電子機器のシステムに関するものである。
【背景技術】
【０００２】
従来から、図１２〜図１４に示すように、扁平でほぼ方形状の差込み式のメモリカード１は、片面又は両面使用のプリント基板である回路基板２にＩＣ及び他の回路素子（以下ＩＣと記載する）３及びコネクター４等を実装し、この回路基板２及びコネクター４の外周等をフレーム５の内周リブ５ａに両面接着テープ６等によって接着し、フレーム５の上下両面の外周リブ５ｂの内側の段部５ｃに上下一対のパネル７の外周等を両面接着テープ８等によって接着して封緘したものである。
【０００３】
なお、フレーム５はＰＢＴ、ＰＣ、ＡＢＳ、変性ＰＰＥ等の合成樹脂によってほぼ方形状の枠型に射出成形されたものであり、パネル７はステンレス薄板等の金属薄板によってほぼ方形状にプレス加工されたものである。そして、両面接着テープ６、８には、感熱接着剤や感圧接着剤等を不織布に染み込ませてフィルム状に形成したものが使用されている。
また、データを記憶できるメモリカードには電源用電池９が組み込まれており、フレーム５のコネクター４側の少なくとも一側面にはイジェクト用溝１０が形成されている。
【０００４】
そして、現在、ＪＥＩＤＡ／ＰＣＭＣＩＡで外形寸法が標準化されているＰＣカードである標準サイズのメモリカード１は、コネクター４のピン差込み穴４ａが上下２列で、合計６８個に規定されている。そして、この標準サイズのメモリカード１のフレーム５の外形寸法は、コネクター４側とその反対側の相対向する一対の第１辺１ａ、１ｂの幅Ｗ1 がセンター値で５４ｍｍに規定され、これら第１辺１ａ、１ｂに対して直角な相対向する一対の第２辺１ｃ、１ｄの長さＬ1 がセンター値で８５．６ｍｍに規定され、厚さＴ1 がセンター値で３．３ｍｍに規定されている。
【０００５】
そして、図１０及び図１１に示すように、この種標準サイズのメモリカード１は、ポケットサイズのパーソナルコンピュータや電子手帳等の小型電子機器１２のカード挿入穴１３内にコネクター４側から矢印ａ方向に挿入して、小型電子機器１２内の回路基板（図示せず）に実装されている６８ピンコネクター１４の上下２列で、合計６８本のコネクターピン１４にコネクター４のピン差込み穴４ａを矢印ａ方向から差し込んで接続する。そして、小型電子機器１２に対するメモリカード１のデータの読み出しや記憶等を行うように使用する。
【０００６】
この際、メモリカード１をカード挿入穴１３内に矢印ａ方向から挿入した時に、カード挿入穴１３内の一側部に設けられているイジェクトつまみ１５のイジェクト爪１５ａがメモリカード１のイジェクト用溝１０内に相対的に挿入される。
そこで、メモリカード１の使用後に、イジェクトつまみ１５を戻しバネ１６に抗して矢印ｂ方向にスライドすると、イジェクト爪１５ａがイジェクト用溝１０の端面１０ａを矢印ｂ方向に押し、コネクター４がコネクター１４のコネクターピン１４ａから矢印ｂ方向に引き抜かれる。そこでこの後、メモリカード１の第１辺１ｂ側を上下から指でつまんで、メモリカード１をカード挿入穴１３から矢印ｂ方向に抜き取る。
【発明の開示】
【発明が解決しようとする課題】
【０００７】
ところで、従来のメモリカードと電子機器のシステムは、標準サイズのメモリカードと小型メモリカードとの互換性がなかった。
【課題を解決するための手段】
【０００８】
本発明は、標準サイズのメモリカードと小型メモリカードの互換性を可能にするために、標準サイズのメモリカードと、上記標準サイズのメモリカードよりも小さい小型メモリカードと、上記標準サイズのメモリカードと小型メモリカードが挿入される挿入穴を有する電子機器とを有するメモリカードと電子機器のシステムにおいて、上記小型メモリカードは、上記標準サイズのメモリカードの幅とほぼ同じ幅と、上記標準サイズのメモリカードの長さの約１／２に形成された長さと、上記標準サイズのメモリカードとほぼ同形状のコネクターと、上記標準サイズのメモリカードの側面に形成されている溝と対応される溝であって、上記標準サイズのメモリカードの側面と対応される側面のほぼ同位置に形成された溝とを備え、上記電子機器の挿入穴には、上記標準サイズのメモリカードのコネクターに接続されるコネクターと、上記標準サイズのメモリカードに形成された溝に挿入される爪とが設けられ、上記挿入穴のコネクターは、小型のメモリカードであっても標準サイズのメモリカードと同様に正しく接続することが可能であり、上記挿入穴の爪は、小型のメモリカードであっても標準サイズのメモリカードと同様にメモリカードに形成された溝に挿入することが可能であるように構成したものである。
【発明の効果】
【０００９】
本発明のメモリカードと電子機器のシステムは、標準サイズのメモリカードと小型メモリカードをこれらに共通の電子機器の挿入穴内に選択的に挿入して、その挿入穴内の共通のコネクターに接続することができるので、標準サイズのメモリカードと小型メモリカードとの互換性が得られる。
【発明を実施するための最良の形態】
【００１０】
本発明のメモリカードと電子機器のシステムは、標準サイズのメモリカードと小型メモリカードをこれらに共通の電子機器の挿入穴内に選択的に挿入した時に、これら標準サイズのメモリカードと小型メモリカードの同じ側面に形成されている共通の溝が挿入穴内の共通のイジェクト爪に挿入されるので、標準サイズのメモリカードと小型メモリカードを共通のイジェクト爪によって共通にイジェクトすることができる。
【００１１】
本発明のメモリカードと電子機器のシステムは、共通の電子機器の挿入穴の奥行きを、標準サイズのメモリカードの長さとほぼ同一の奥行きに構成して、バージョンアップ用カードを接続した小型メモリカードを標準サイズのメモリカードを同様に挿入する使用法が可能である。
【００１２】
本発明のメモリカードと電子機器のシステムは、共通の電子機器の挿入穴の奥行きを、標準サイズのメモリカードの長さの約１／２の奥行きに構成して、小型メモリカードを単独で挿入することができる小型電子機器を提供することができる。
【実施例１】
【００１３】
以下、本発明を適用したメモリカードと電子機器のシステムの実施例を図１〜図９を参照して説明する。なお、図１０〜図１４と同一構造部には同一の符号を付して説明の重複を省く。
【００１４】
まず、図１の（Ａ）に示すように、小型メモリカードであって、ハーフサイズのメモリカード２１の外形寸法が、従来の標準サイズのメモリカード１の１／２に形成されたハーフサイズに形成されている。なお、このハーフサイズのメモリカード２１の構造は標準サイズのメモリカード１と同等である。
即ち、このハーフサイズのメモリカード２１のコネクター４は標準サイズのメモリカード１のコネクター４と同一のものが使用されており、フレーム５のコネクター４側の一側面には標準サイズのメモリカード１と同様のイジェクト用溝１０が形成されている。
【００１５】
そして、このハーフサイズのメモリカード２１のコネクター４側とその反対側の相対向する一対の第１辺２１ａ、２１ｂの幅Ｗ1 及び厚さＴ1 が標準サイズのメモリカード１と同じセンター値で５４ｍｍ、及び３．３ｍｍに形成されているのに対して、長さＬ2 が標準サイズのメモリカード１の１／２であるセンター値で４２．８ｍｍに形成されている。
そして、図１の（Ｂ）に示すように、このハーフサイズのメモリカード２１の幅Ｗ1 、長さＬ2 及び厚さＴ1 と全く同寸法の幅Ｗ1 、長さＬ2 及び厚さＴ1 に形成されたハーフサイズのバージョンアップ用カード２２が用いられる。
【００１６】
このハーフサイズのバージョンアップ用カード２２内の回路基板にはハーフサイズのメモリカード２１をバージョンアップするためのバージョンアップ用回路が組み込まれている。
そして、このハーフサイズのバージョンアップ用カード２２がハーフサイズのメモリカード２１のコネクター側とは反対側である第１辺２１ｂに接続部２３によって機械的及び電気的に着脱自在に接続することができるように構成している。
なお、接続部２３は、メモリカード２１にバージョンアップ用カード２２を機械的に接続する機械的接続部２３ａと、メモリカード２１にバージョンアップ用カード２２を電気的に接続する電気的接続部２３ｂとが備えられる。
【００１７】
そして、例えば図５及び図６に示すように、機械的接続部２３ａは、バージョンアップ用カード２２の左右両側に左右一対の支点ピン２４を介して回転自在に取り付けた左右一対の係止爪２５を左右一対の付勢バネ２６によってメモリカード２１の一対の第２辺２１ｃ、２１ｄに形成した左右一対の係止穴２７に係止させるようにした爪構造を採用することができる。
【００１８】
また、電気的接続部２３ｂは、例えば図５及び図６に示すように、バージョンアップ用カード２２内に組み込まれて外部に露出された左右一対のスライドつまみ２９ａによって矢印ａ、ｂ方向にスライドされるスライダー２９に複数のコネクターピン３０を取り付け、この複数のコネクターピン３０を複数のピン挿通穴３０ａを通してバージョンアップ用カード２２内からメモリカード２１内に矢印ａ方向に挿入して、メモリカード２１内に埋設されているコネクター３１の複数のピン差込み穴３１ａ内に挿入させるようにした差し込み構造を採用することができる。
【００１９】
また、図７に示すように、機械的接続部２３ａを左右一対のあり３３とあり溝３４とからなるありつぎ構造に構成し、電気的接続部２３ｂの複数のコネクターピン３０を複数の圧着バネ３５によって複数の圧着端子３６に圧着させるようにした圧着構造に構成することもできる。なお、この際、機械的接続部２３ａ及び電気的接続部２３ｂを左右対称状に形成することもできる。
【００２０】
また、図８に示すように、バージョンアップ用カード２２側に取り付けた複数のコネクターピン３０をメモリカード２１内に埋設したコネクター３１の複数のピン差込み穴３１ａ内に矢印ａ、ｂ方向に抜き差し自在に構成した単純なコネクター構造の電気的接続部２３ａを採用し、これにコネクターピン３０とコネクター３１との接合部の外周で、バージョンアップ用カード２２とメモリカード２１とに一体に形成した角型で環状の凸型嵌合部３８と凹型嵌合部３９とを適度な摩擦係合力をもたせて相互に嵌合させるようにした機械的接続部２３ａを採用することもできる。
【００２１】
以上のように構成されたハーフサイズのメモリカード２１によれば、図２に示すように、メモリカード２１を単独で小型電子機器４２のカード挿入穴４３内に挿入して、コネクター４のピン差込み穴４ａをコネクター１４のコネクターピン１４ａに矢印ａ、ｂ方向から抜き差しすることができる。
その際、ハーフサイズのメモリカード２１の長さＬ2 が標準サイズのメモリカード１の長さＬ1 の１／２に形成されていることから、カード挿入穴４３の奥行き寸法Ｌ13を図１０及び図１１に示した従来の標準サイズのメモリカード１用の小型電子機器１２のカード挿入穴１３の奥行き寸法Ｌ11の１／２に形成することができて、その小型電子機器４２の長さ寸法Ｌ14を従来の小型電子機器１２の長さ寸法Ｌ12に比べてＬ13相当分だけ小さくすることができる。即ち、Ｌ14＝Ｌ12−Ｌ13である。
【００２２】
そして、このハーフサイズのメモリカード２１によれば、図１の（Ｂ）及び図３に示すように、必要に応じて、このハーフサイズのメモリカード２１の一方の第１辺２１ｂにハーフサイズのバージョンアップ用カード２２を接続部２３によって機械的及び電気的に簡単に接続することができるので、このハーフサイズのメモリカード２１のバージョンアップを簡単に行える。
また、このハーフサイズのメモリカード２１によれば、図１の（Ｂ）に示すように、ハーフサイズのメモリカード２１の第１辺２１ｂにハーフサイズのバージョンアップ用カード２２を接続部２３によって接続すると、そのメモリカード２１とバージョンアップ用カード２２の全体の幅Ｗ1 、長さＬ1 及び厚さＴ1 が従来の標準サイズのメモリカード１と全く同じ寸法となる。
【００２３】
従って、図４に示すように、従来の小型電子機器１２の奥行きＬ11のカード挿入穴１３内にハーフサイズのメモリカード２１をバージョンアップ用カード２２を用いて矢印ａ方向から正しく挿入して、コネクター１４のコネクターピン１４ａにコネクター４を従来の標準サイズのメモリカード１と全く同様に正しく接続することができる。
また、使用後には、ハーフサイズのメモリカード２１をイジェクトつまみ１５によってコネクターピン１４ａから矢印ｂ方向に引き抜いた後に、バージョンアップ用カード２２をつまんでカード挿入穴１３内から矢印ｂ方向に抜き取ることができる。
【００２４】
従って、ハーフサイズのメモリカード２１は標準サイズのメモリカード１に対する互換性があり、このメモリカード２１の利用範囲が非常に広い。
なお、メモリカード２１とバージョンアップ用カード２２のサイズは自由に選定することが可能である。
【００２５】
即ち、図９の（Ａ）に示すように、ハーフサイズのメモリカード２１に従来の標準サイズのメモリカード１と同じサイズに形成したバージョンアップ用カード２２を接続部２３によって接続することが可能である。
また、図９の（Ｂ）に示すように、メモリカード２１とバージョンアップ用カード２２を共に従来の標準サイズのメモリカード１と同じサイズに形成して、これらを接続部２３によって接続することが可能である。
また、図９の（Ｃ）に示すように、従来の標準サイズのメモリカードと同じサイズに形成したメモリカード２１にハーフサイズのバージョンアップ用カード２２を接続部２３によって接続することも可能である。
【産業上の利用可能性】
【００２６】
以上、本発明の実施例に付き述べたが、本発明は上記の実施例に限定されることなく、本発明の技術的思想に基づいて各種の変更が可能である。
【図面の簡単な説明】
【００２７】
【図１】図１の（Ａ）は本発明の実施例におけるハーフサイズのメモリカードを示す    斜視図であり、図１の（Ｂ）はハーフサイズのメモリカードとバージョンアップ用カ    ードを接続した状態の斜視図である。
【図２】図２の（Ａ）はハーフサイズのメモリカードを用いる小型電子機器の斜視図    であり、図２の（Ｂ）はその小型電子機器のカード挿入穴内へハーフサイズのメモリ    カードを挿入した状態を示した一部切欠き平面図である。
【図３】図２に示したハーフサイズのメモリカードにバージョンアップ用カードを接    続した状態の一部切欠き平面図である。
【図４】標準サイズのカード挿入穴内へハーフサイズのメモリカードをバージョンア    ップ用カードを用いて挿入した状態を示した一部切欠き平面図である。
【図５】メモリカードとバージョンアップ用カードとを接続する接続部の第１例にお    ける接続状態を示した断面平面図である。
【図６】図５に示した接続部の切り離し状態を示した断面平面図である。
【図７】メモリカードとバージョンアップ用カードとを接続する接続部の第２例を示    した断面平面図及び側面図である。
【図８】メモリカードとバージョンアップ用カードを接続する接続部の第３例を示し    た断面平面図である。
【図９】メモリカードとバージョンアップ用カードのサイズの変形例を示した斜視図    である。
【図１０】従来の標準サイズのメモリカードを用いる小型電子機器を示した斜視図で    ある。
【図１１】図１０の小型電子機器のカード挿入穴内に従来の標準サイズのメモリカー    ドを挿入した状態を示した一部切欠き平面図である。
【図１２】従来の標準サイズのメモリカードを示した斜視図である。
【図１３】図１３の（Ａ）は図１２のＡ−Ａ矢視での断面図であり、図１３の（Ｂ）    は図１２のＢ−Ｂ矢視での断面図である。
【図１４】図１２の従来の標準サイズのメモリカードの分解斜視図である。
【符号の説明】
【００２８】
１      標準サイズのメモリカード
４      コネクター
４ａ    コネクターのピン差込み穴
５      フレーム
１０    イジェクト用溝
１２    従来の小型電子機器
１３    従来の小型電子機器のカード挿入穴
１４    コネクター
１５    イジェクトつまみ
１５ａ  イジェクト爪
２１    小型メモリカードであるハーフサイズのメモリカード
２１ａ、２１ｂ  メモリカードの第１辺
２１ｃ、２１ｄ  メモリカードの第２辺
２２    バージョンアップ用カード
２３    接続部
２３ａ  機械的接続部
２３ｂ  電気的接続部
４２    本発明の小型電子機器
４３    本発明の小型電子機器のカード挿入穴
Ｗ1     幅
Ｌ1 、Ｌ2   長さ
Ｔ1     厚さ
【図１】
2004288202.tif 000003
【図２】
2004288202.tif 000004
【図３】
2004288202.tif 000005
【図４】
2004288202.tif 000006
【図５】
2004288202.tif 000007
【図６】
2004288202.tif 000008
【図７】
2004288202.tif 000009
【図８】
2004288202.tif 000010
【図９】
2004288202.tif 000011
【図１０】
2004288202.tif 000012
【図１１】
2004288202.tif 000013
【図１２】
2004288202.tif 000014
【図１３】
2004288202.tif 000015
【図１４】
2004288202.tif 000016